(57)【特許請求の範囲】
【請求項１】
収納部を有し、有底の箱状に形成されたハウジングと、このハウジングの内底面に表出する金属線材の固定接点と、この固定接点から導出されて前記ハウジングの外方へ突出する接続端子と、前記収納部に収納されて前記固定接点に接離可能な可動接点とを備え、前記ハウジングは、外側面に設けられた端子保持部である縦溝と、この縦溝が形成された外側面の底面部近傍に設けられて前記縦溝に連設された切り欠き凹部を有し、前記接続端子は、前記ハウジングの外側面外方で折り曲げられ、前記縦溝内に係止された状態で前記ハウジングの外側面に沿って垂下すると共に、前記接続端子の下部側は、前記切り欠き凹部を通って下方に突出して、前記接続端子と前記ハウジングの外側面とが離間された状態となっていることを特徴とする押釦スイッチ。
【発明の詳細な説明】
【０００１】
【発明の属する技術分野】
本発明は、電子機器や通信機器などの操作用スイッチとして使用される押釦スイッチに関し、特にハウジングから導出された接続端子の保持構造に関する。
【０００２】
【従来の技術】
従来の押釦スイッチの構造を図７、図８に示す。図７は押釦スイッチの正面図、図８は同じく底面図である。
【０００３】
図において、ハウジング１１は、合成樹脂などの絶縁材で内部に収納部（図示せず）を有する有底の箱状に形成されている。このハウジング１１の収納部の内底面には、一対の金属線材（丸線材）からなる固定接点（図示せず）が配設されており、この固定接点の他端側は前記ハウジング１１の外側面から外方へ突出されて、回路基板などに配設された回路パターンへ接続される接続端子１２が形成されている。この接続端子１２は、前記ハウジング１１の外側面の外方で、前記ハウジング１１の外側面に沿って垂下するように形成されており、その途中でＬ字状に折り曲げられて屈曲部１２ａが形成されている。
【０００４】
また、前記ハウジング１１の収納部には、導電性の金属板からなるドーム状の可動接点（図示せず）が収納されており、この可動接点は、一対の前記固定接点（図示せず）に接離可能なように前記固定接点上に配設されたものとなっている。  また、前記ハウジング１１の収納部には、合成樹脂などの絶縁材からなるステム１３が収納部内を昇降可能なように配設されており、このステム１３を押圧操作することにより、ドーム状の前記可動接点（図示せず）が反転動作を行うことで、前記可動接点と前記固定接点とが接離し、スイッチの切り換えが行われるようになっている。
【０００５】
また、前記ハウジング１１の上面には、金属板で環状に形成された図示しないカバーが設けられており、前記ハウジング１１の収納部の上面を覆い、前記ステム１３や前記可動接点を前記ハウジング１１内に収納してこれらの飛び出しを防止している。
【０００６】
【発明が解決しようとする課題】
しかしながら、上述した従来の押釦スイッチの構造においては、合成樹脂製の前記ハウジング１１の内底面に丸線材からなる固定接点を配設し、この他端側を前記ハウジング１１の外側面から外方へ突出して前記接続端子１２を形成しており、この接続端子１２を前記ハウジング１１の外側面に沿ってＬ字状に折り曲げて垂下するように形成していることから、前記接続端子１２は丸線材であるために前記ハウジング１１からの突出部分でねじれ易く、端子曲がりが生じるため、スイッチを回路基板へ取り付ける際に端子が傾いてしまい実装性が悪くなるという問題があった。
【０００７】
また、前記接続端子１２は、前記ハウジング１１の外側面に沿って垂下するように形成されていることから、スイッチを回路基板に取り付けて半田付けする際に、前記ハウジング１１の外側面と前記接続端子１２の僅かの隙間を伝って毛細管現象によってフラックスが前記ハウジング１１内部に侵入するという問題があった。
【０００８】
したがって、本発明では上述した問題点を解決し、固定接点と接続端子に丸線材を使用した押釦スイッチの構造で、接続端子をハウジングの外側面に沿って折り曲げて垂下させた時の端子ねじれや端子曲がりを防止すると共に、回路基板へ半田付けする際、毛細管現象によってフラックスがハウジング内部に侵入することを防止できる信頼性の高い押釦スイッチの構造を提供することを目的とする。
【０００９】
【課題を解決するための手段】
上記課題を解決するために本発明では第１の手段として、収納部を有し、有底の箱状に形成されたハウジングと、このハウジングの内底面に表出する金属線材の固定接点と、この固定接点から導出されて前記ハウジングの外方へ突出する接続端子と、前記収納部に収納されて前記固定接点に接離可能な可動接点とを備え、前記ハウジングは、外側面に設けられた端子保持部である縦溝と、この縦溝が形成された外側面の底面部近傍に設けられて前記縦溝に連設された切り欠き凹部を有し、前記接続端子は、前記ハウジングの外側面外方で折り曲げられ、前記縦溝内に係止された状態で前記ハウジングの外側面に沿って垂下すると共に、前記接続端子の下部側は、前記切り欠き凹部を通って下方に突出して、前記接続端子と前記ハウジングの外側面とが離間された状態となっていることを特徴とする。
【００１４】
【発明の実施の形態】
以下、本発明の押釦スイッチの構造の一実施例を図１乃至図６に示す。図１は押釦スイッチの平面図、図２は同じく正面図、図３は同じく底面図、図４は同じく縦断面図、図５は押釦スイッチをキャリアテープに保持した状態の正面図、図６は同じく側面図である。
【００１５】
図において、ハウジング１は、合成樹脂などの絶縁材からなり、内部に収納部１ａを有する有底の箱状に形成されている。このハウジング１の前記収納部１ａの内底面には、一対の丸線状の金属線材からなる固定接点２、２が対向されて配設されている。この固定接点２、２に導出された他端側は、前記ハウジング１の外側面から外方へ突出されており、この突出された自由端側には図示しない電子機器の回路基板などの回路パターンへ接続される接続端子３が各々形成されたものとなっている。また、この接続端子３は、前記ハウジング１外側面に沿って垂下するように形成されており、この外側面からの突出部でＬ字状に折り曲げられた屈曲部３ａが形成されている。
【００１６】
前記ハウジング１の外側面には、一対の平担部１ｂが形成されており、この平担部１ｂに前記接続端子３が突出されたものとなっている。また、この平坦部１ｂには、前記接続端子３の前記屈曲部３ａから前記ハウジング１の底面に対して直交する方向に延びる縦溝１ｃが前記接続端子３の線材径とほぼ同じ溝幅で形成されており、この縦溝１ｃに沿って前記接続端子３が垂下されたものとなっている。この時、前記接続端子３は前記縦溝１ｃと係合して両側から保持されることから、この接続端子３のねじれや曲がりの発生が防止されるものとなっている。
【００１７】
また、前記縦溝１ｃが形成された前記平坦部１ｂには、前記ハウジング１の底面側に前記縦溝１ｃと連設して、前記縦溝１ｃの幅よりも、更に大きな幅からなる切り欠き凹部１ｄが形成されている。この切り欠き凹部１ｄを設けることにより、前記ハウジング１の底面側において、前記接続端子３と前記ハウジング１の外側面との間を大きく離間させることができることから、前記接続端子３を図示しない回路基板などの回路パターンへ接続する場合の半田付けの際に、前記ハウジング１の外側面と前記接続端子３の僅かの隙間を伝って毛細管現象によってフラックスが前記ハウジング１内部に侵入するのを防止できるものとなっている。
【００１８】
可動接点４は、導電性の金属板を円盤状に加工されたもので、その中央部はドーム状に成形加工されている。この可動接点４は、前記ハウジング１の収納部１ａ内に収納され、前記固定接点２、２上に一定の間隔をおいて配設されており、この可動接点４が後述するステム５の押圧部５ａにより押圧されることで反転動作することにより、前記固定接点２、２と接離してスイッチの切り換えが行われるようになっている。
【００１９】
ステム５は合成樹脂の絶縁材から形成されており、このステム５は、前記ハウジング１の収納部１ａに収納されて前記可動接点４のドーム状の頂部を押圧して前記可動接点４を反転させる押圧部５ａと、前記ハウジング１の開口部から突出して外部から押圧操作される操作部５ｂとを備えている。
【００２０】
カバー６は、平板の金属板で環状に形成されており、このカバー６中央には、前記ステム５を挿通させる挿通孔６ａが設けられている。このカバー６は、前記ハウジング１の収納部１ａの上面を覆うことで、前記ステム５や前記可動接点４を前記ハウジング１に収納してこれらの飛び出しを防止している。
【００２１】
また、前記カバー６を前記ハウジング１に取り付ける方法としては、前記ハウジング１の上部の側壁１ｅを全周に渡って内側にかしめること（ラウンドカシメ）で、前記カバー６の外周面を覆い被せることにより前記カバー６を前記ハウジング１上に取り付けるものとなっている。このように前記カバー６の外周面と前記ハウジング１の上面とをラウンドカシメを行うことにより、外部から前記ハウジング１内部に塵埃などが侵入することを防止することができる。
【００２２】
図５及び図６は、本発明の押釦スイッチをキャリアテープ７に保持した状態を示す。キャリアテープ７は厚紙からなる基板７ａと、この基板７ａ上に粘着された粘着テープ７ｂとからなり、この粘着テープ７ｂにより押釦スイッチの一対の前記接続端子３、３の先端部を、一定の間隔を置いて前記基板７ａに貼り付けて固定している。前記キャリアテープ７に粘着された状態で、押釦スイッチは図示しない自動挿入機に送り込まれ、図示しない電子機器などの回路基板への挿入取り付けが行われるものとなる。パイロット穴７ｃは、前記キャリアテープ７が自動挿入機に送られる場合の自動送り用のガイド穴の役目をしている。
【００２３】
押釦スイッチを回路基板に取り付ける場合には、自動挿入機でチャッキングした後、押釦スイッチの前記接続端子３、３を切断することにより前記キャリアテープ７から切り離せば、回路基板上の所定位置への自動挿入、取り付けが容易に行えるものとなる。
【００２４】
このように上記実施例の場合、前記接続端子３、３が突出されて、折り曲げて垂下されている前記ハウジング１の外側面には、一対の前記平坦部１ｂが形成されており、また、この平坦部１ｂには、前記接続端子３の前記屈曲部３ａから前記ハウジング１の底面側に向かう前記縦溝１ｃが形成されており、この縦溝１ｃに沿って前記接続端子３が垂下されたものとなっている。
したがって、前記接続端子３は前記縦溝１ｃと係合して両側から保持されていることから、例え、前記接続端子３が丸線材であるために前記ハウジング１からの突出部分でねじれ易く、端子が曲がり易くとも、この接続端子３のねじれや曲がりの発生が前記縦溝１ｃで防止されるものとなり、押釦スイッチを回路基板へ取り付ける際に端子が傾いてしまい実装性が悪くなるということがなくなるものとなる。
【００２５】
また、前記接続端子３は、丸線状の金属線材から形成されていることから、折り曲げや切断などの加工性が良好で、更には、材料コストが、板状の金属板材をプレス加工して接続端子を形成する方法に比べて格段に廉価に形成することが可能となっている。
また、前記ハウジング１の外側面から突出した前記接続端子３を、前記縦溝１ｃに沿って折り曲げるだけでねじれや曲がりが防止できるので、簡単な構成で確実にねじれ、曲がりの防止が行えるものとなる。
【００２６】
また、前記ハウジング１の底面側には、前記縦溝１ｃと連設して前記縦溝１ｃの幅よりも、更に大きな幅からなる前記切り欠き凹部１ｄが形成されているので、この切り欠き凹部１ｄを設けることにより、前記ハウジング１の底面側において、前記接続端子３と前記ハウジング１の外側面との間を大きく離間させることができることから、前記接続端子１を図示しない回路基板などの回路パターンへ接続する場合の半田付けの際に、前記ハウジング１の外側面と前記接続端子３の僅かの隙間を伝って毛細管現象によってフラックスが前記ハウジング１内部に侵入するのを防止できるものとなっている。
【００２７】
尚、上記実施例では、前記端子保持部を前記ハウジング１の平坦部１ｂに形成した前記縦溝１ｃで構成したが、これとは別に、前記平坦部１ｂから突出する一対の突起部で形成してもよく、この場合でも上述したものと同様な効果が得られるのはもちろんである。
【００２８】
【発明の効果】
以上説明したように、本発明の押釦スイッチの構造は、ハウジングは、外側面に設けられた端子保持部である縦溝と、この縦溝が形成された外側面の底面部近傍に設けられて縦溝に連設された切り欠き凹部を有し、接続端子は、ハウジングの外側面外方で折り曲げられ、縦溝内に係止された状態でハウジングの外側面に沿って垂下すると共に、接続端子の下部側は、切り欠き凹部を通って下方に突出して、接続端子とハウジングの外側面とが離間された状態となっていることから、この接続端子のねじれや曲がりの発生が端子保持部で防止されるものとなり、押釦スイッチを回路基板へ取り付ける際に端子が傾いてしまい実装性が悪くなるということを防止できる。また、接続端子を縦溝に沿って折り曲げるだけでねじれや曲がりが防止できるので、簡単な構成で確実にねじれ、曲がりの防止が行える。
また、ハウジングの底面側において、接続端子とハウジングの外側面との間を大きく離間させることができるため、接続端子を回路基板などの回路パターンへ接続する場合の半田付けの際に、ハウジングの外側面と接続端子の僅かの隙間を伝って毛細管現象によってフラックスがハウジング内部に侵入するのを防止できる。
【図面の簡単な説明】
【図１】本発明の一実施例である押釦スイッチを示す平面図である。
【図２】本発明の同じく押釦スイッチを示す正面図である。
【図３】本発明の同じく押釦スイッチを示す底面図である。
【図４】本発明の同じく押釦スイッチを示す縦断面図である。
【図５】本発明の同じく押釦スイッチをキャリアテープに保持した状態を示す正面図である。
【図６】本発明の同じく押釦スイッチをキャリアテープに保持した状態を示す側面図である
【図７】従来の押釦スイッチを示す正面図である。
【図８】従来の押釦スイッチを示す底面図である。
【符号の説明】
１  ハウジング
１ａ  収納部
１ｂ  平坦部
１ｃ  縦溝（端子保持部）
１ｄ  切り欠き凹部
１ｅ  側壁
２  固定接点
３  接続端子
３ａ  屈曲部
４  可動接点
５  ステム
５ａ  押圧部
５ｂ  操作部
６  カバー
６ａ  挿通孔
７  キャリアテープ
７ａ  基板
７ｂ  粘着テープ
７ｃ  パイロット穴
【図１】
0003762593.tif 000002
【図２】
0003762593.tif 000003
【図３】
0003762593.tif 000004
【図４】
0003762593.tif 000005
【図５】
0003762593.tif 000006
【図６】
0003762593.tif 000007
【図７】
0003762593.tif 000008
【図８】
0003762593.tif 000009